(57)【要約】【課題】建築物の内部にも設置可能な中型の発電用駆動装置を提供する。【解決手段】上下のスプロケット21,22に動力伝達チェーン13を掛け渡す。動力伝達チェーン13の左方上部には固定ウエイト15を固定し、その右方下部には水平方向に移動する移動ウエイト16を載置した移動ウエイト載置枠体14を固定する。前者の重さを後者の重さよりも重くする。これにより固定ウエイト15が上部位置にあって移動ウエイト16が下部位置にあるとき移動ウエイト載置枠体14が上方に移動し、この移動ウエイト載置枠体14が上部位置にあるとき移動ウエイト16が右方に移動して移動ウエイト載置枠体14が下方に移行して、固定ウエイト15が上昇する。移動ウエイト載置枠体14が下部位置に位置して、移動ウエイト載置枠体14上の移動ウエイト16が左方に移動することにより、上部に位置する固定ウエイト15が下方に移動する。以下この動作を繰り返す。【選択図】図１
0003210649.tif 000002
【実用新案登録請求の範囲】
【請求項１】
所定高さを有する本体部の上部と下部に回転軸をそれぞれ設置し、それぞれの回転軸の両端部にはスプロケットを固定し、それぞれの上部スプロケットと下部スプロケットにはエンドレスの動力伝達チェーンを掛け渡し、前記動力伝達チェーンの一方側上部には固定ウエイトを固定し、前記動力伝達チェーンの他方側の下部には水平方向に摺動する移動ウエイトを載置した移動ウエイト載置枠体を固定し、前記固定ウエイトの重さを前記移動ウエイトと移動ウエイト載置枠体の重さよりも重く設定し、
これにより、固定ウエイトが上部位置にあって移動ウエイトが下部位置にあるときには移動ウエイト載置枠体が上方方向に移動し、
この移動ウエイト載置枠体が上部位置に位置して当該移動ウエイトが前記動力伝達チェーンから遠ざかる略水平方向に移動することにより移動ウエイト載置枠体が下方に移行して、固定ウエイトが上昇し、
この移動ウエイト載置枠体が下部位置に位置して、移動ウエイト載置枠体上の移動ウエイトが動力伝達チェーン側に近付く略水平方向に移動することにより、上部位置に位置する固定ウエイトが下方に移動し、
以下この動作を繰り返すことにより固定ウエイトと移動ウエイト載置枠体が相互に逆方向に上下移動を繰り返し、
この動きによる上部スプロケット又は下部スプロケットの正逆回転動作を利用して発電機の回転軸を回転させて発電することができることを特徴とする発電機用駆動装置。
【請求項２】
前記本体部の上部位置に前記移動ウエイト載置枠体が上部位置に位置するときに、当該移動ウエイト載置枠体に当接して右向きに回動する上部回動体を設け、この上部回動体を前記移動ウエイト載置枠体が右方向に回動させることにより、前記移動ウエイトの動力伝達チェーン側に位置する作動杆が前記動力伝達チェーンから遠ざかる方向に移動して前記移動ウエイトを移動させ、
前記本体部の下部位置に前記移動ウエイト載置枠体が下部位置に位置するときに、当該移動ウエイト載置枠体に当接して左方向に回動する下部回動体を設け、この下部回動体を前記移動ウエイト載置枠体が左方向に回動させることにより前記移動ウエイトを前記動力伝達チェーンに近付く方向に移動して前記移動ウエイトを移動させることができることを特徴とする請求項１に記載の発電機用駆動装置。
【請求項３】
前記動力伝達チェーンの両側の下部位置に前記固定ウエイト及び前記移動ウエイト載置枠体の下方への移動動作を緩衝させる緩衝手段を設けたことを特徴とする請求項１又は２に記載の発電機用駆動装置。
【考案の詳細な説明】
【技術分野】
【０００１】
本考案は、発電機の発電用回転軸を駆動することのできる駆動装置に関するものである。
【背景技術】
【０００２】
ダム貯水池に貯留された水の位置エネルギーを利用して、当該貯水池の水を落下させてタービンを回転させ発電するダム式水力発電はよく知られている。
他方、自動車や自転車に備えたダイナモ等の小型発電機は、自動車のエンジンの回転や自転車の車輪の回転を利用して電磁誘導によって電気を発生させるものであり、これらも周知のものである。  
【考案の概要】
【考案が解決しようとする課題】
【０００３】
本考案においては、上記大型のものと小型のものの丁度中間の大きさの発電気用駆動装置であって、とりわけ建築物の２階程度以上の高さ有する装置を提供することをその課題としている。
上記大きさのものであれば、地上に独立に設置することも、或いは、建築物の内部に設置することも可能となるからである。
【課題を解決するための手段】
【０００４】
上記課題を解決するために、本考案の第１のものは、所定高さを有する本体部の上部と下部に回転軸をそれぞれ設置し、それぞれの回転軸の両端部にはスプロケットを固定し、それぞれの上部スプロケットと下部スプロケットにはエンドレスの動力伝達チェーンを掛け渡し、前記動力伝達チェーンの一方側上部には固定ウエイトを固定し、前記動力伝達チェーンの他方側の下部には水平方向に摺動する移動ウエイトを載置した移動ウエイト載置枠体を固定し、前記固定ウエイトの重さを前記移動ウエイトと移動ウエイト載置枠体の重さよりも重く設定し、これにより、固定ウエイトが上部位置にあって移動ウエイトが下部位置にあるときには移動ウエイト載置枠体が上方方向に移動し、この移動ウエイト載置枠体が上部位置に位置して当該移動ウエイトが前記動力伝達チェーンから遠ざかる略水平方向に移動することにより移動ウエイト載置枠体が下方に移行して、固定ウエイトが上昇し、この移動ウエイト載置枠体が下部位置に位置して、移動ウエイト載置枠体上の移動ウエイトが動力伝達チェーン側に近付く略水平方向に移動することにより、上部位置に位置する固定ウエイトが下方に移動し、以下この動作を繰り返すことにより固定ウエイトと移動ウエイト載置枠体が相互に逆方向に上下移動を繰り返し、この動きによる上部スプロケット又は下部スプロケットの正逆回転動作を利用して発電機の回転軸を回転させて発電することができることを特徴とする発電機用駆動装置である。
【０００５】
本考案の第２のものは、上記第１の考案において、前記本体部の上部位置に前記移動ウエイト載置枠体が上部位置に位置するときに、当該移動ウエイト載置枠体に当接して右向きに回動する上部回動体を設け、この上部回動体を前記移動ウエイト載置枠体が右方向に回動させることにより、前記移動ウエイトの動力伝達チェーン側に位置する作動杆が前記動力伝達チェーンから遠ざかる方向に移動して前記移動ウエイトを移動させ、前記本体部の下部位置に前記移動ウエイト載置枠体が下部位置に位置するときに、当該移動ウエイト載置枠体に当接して左方向に回動する下部回動体を設け、この下部回動体を前記移動ウエイト載置枠体が左方向に回動させることにより前記移動ウエイトを前記動力伝達チェーンに近付く方向に移動して前記移動ウエイトを移動させることができることを特徴とする発電機用駆動装置である。
【０００６】
本考案の第３のものは、上記第１又は第２の考案において、前記動力伝達チェーンの両側の下部位置に前記固定ウエイト及び前記移動ウエイト載置枠体の下方への移動動作を緩衝させる緩衝手段を設けたことを特徴とする発電機用駆動装置である。
【考案の効果】
【０００７】
本考案の第１のものにおいては、所定高さを有する本体部の上部と下部に回転軸をそれぞれ設置し、それぞれの回転軸の両端部にはスプロケットを固定し、それぞれの上部スプロケットと下部スプロケットにはエンドレスの動力伝達チェーンを掛け渡し、前記動力伝達チェーンの一方側上部には固定ウエイトを固定し、前記動力伝達チェーンの他方側の下部には水平方向に摺動する移動ウエイトを載置した移動ウエイト載置枠体を固定し、前記固定ウエイトの重さを前記移動ウエイトと移動ウエイト載置枠体の重さよりも重く設定し、
これにより、固定ウエイトが上部位置にあって移動ウエイトが下部位置にあるときには移動ウエイト載置枠体が上方方向に移動し、この移動ウエイト載置枠体が上部位置に位置して当該移動ウエイトが前記動力伝達チェーンから遠ざかる略水平方向に移動することにより移動ウエイト載置枠体が下方に移行して、固定ウエイトが上昇し、この移動ウエイト載置枠体が下部位置に位置して、移動ウエイト載置枠体上の移動ウエイトが動力伝達チェーン側に近付く略水平方向に移動することにより、上部位置に位置する固定ウエイトが下方に移動し、以下この動作を繰り返すことにより固定ウエイトと移動ウエイト載置枠体が相互に逆方向に上下移動を繰り返すことができることとなる。
この動きにより動力伝達チェーンは、左回転と右回転の繰り返し動作を行うこととなり、これにより上部スプロケット及び下部スプロケットも正逆回転動作を行い、これを利用して発電機の回転軸を回転させて発電することができることとなるのである。
【０００８】
本考案の第２のものにおいては、上記第１の考案において、移動ウエイトの移動ウエイト載置枠体上での略水平方向の往復移動を行うための機構を具体化したものである。
即ち、前記本体部の上部位置に前記移動ウエイト載置枠体が上部位置に位置するときに、当該移動ウエイト載置枠体に当接して右向きに回動する上部回動体を設け、この上部回動体を前記移動ウエイト載置枠体が右方向に回動させることにより、前記移動ウエイトの動力伝達チェーン側に位置する作動杆が前記動力伝達チェーンから遠ざかる方向に移動して前記移動ウエイトを移動させ、前記本体部の下部位置に前記移動ウエイト載置枠体が下部位置に位置するときに、当該移動ウエイト載置枠体に当接して左方向に回動する下部回動体を設け、この下部回動体を前記移動ウエイト載置枠体が左方向に回動させることにより前記移動ウエイトを前記動力伝達チェーンに近付く方向に移動して前記移動ウエイトを移動させることができる構成としたものである。
【０００９】
本考案の第３のものにおいては、上記考案において、前記動力伝達チェーンの両側の下部位置に前記固定ウエイト及び前記移動ウエイト載置枠体の下方への移動動作を緩衝させる緩衝手段を設けたものであり、前記固定ウエイト及び移動ウエイト載置枠体が本体部の底面部に衝突することを防止するために設けたものである。
【図面の簡単な説明】
【００１０】
【図１】本考案に係る発電用駆動装置に係る一実施形態の概念図を示し、その（Ａ）が平面説明図、その（Ｂ）が正面説明図である。
【考案を実施するための形態】
【００１１】
以下、添付の図面と共に本考案に係る一実施形態について説明する。
図１は、本考案に係る発電用駆動装置に係る一実施形態の概念図を示し、その（Ａ）が平面説明図、その（Ｂ）が正面説明図であるである。
【００１２】
本考案に係る発電機用駆動装置は、その外形形状が縦長の略直方体形状を有する本体部を有し、各種の型鋼を組み合わせて、その骨組みを構成して構築することができる。
当該本体部の正面視左側の上部と下部には、それぞれ回転軸１１、１２を回転自在に設ける。
【００１３】
これらの上下の回転軸の両端部には、それぞれスプロケット２１、２２を一対ずつ固定し、これらのスプロケット２１、２２には、エンドレスの動力伝達チェーン１３、１３を架け渡す。
即ち、この動力伝達チェーン１３は、回転軸１１、１２の両端部のスプロケット２１、２２に１本ずつ架け渡されていることとなる。
【００１４】
これら動力伝達チェーン１３、１３には、適宜フレームを固定して、正面視左側に固定ウエイト１５を固定する。
他方、これらの動力伝達チェーン１３の正面視右側には、移動ウエイト載置枠体１４を固定する。
【００１５】
この移動ウエイト載置枠体１４には、移動ウエイト１６が載置され、この移動ウエイト１６は、この移動ウエイト載置枠体１４上で、図中左右に移動可能に載置されている。
即ち、この移動ウエイト１６は、動力伝達チェーン１３の近傍の左側の位置と、動力伝達チェーン１３から遠ざかった右側位置との間で略水平方向左右に往復動することができる。
ここで、上記固定ウエイト１５の重量は、上記移動ウエイト１６と移動ウエイト載置枠体１４とを合体した重量よりも重い重量に設定しておくことが重要となる。
【００１６】
上記のように、移動ウエイト１６が移動ウエイト載置枠体１４上を往復動できる構成は、各種考えられるが、移動ウエイト載置枠体１４上に２条の溝部を設け、この溝部に嵌合し滑動できる係合体又は小輪を設けて実施することができる。
【００１７】
また、この移動ウエイト１６を往復動させるための構成は以下の通りである。
まず、この移動ウエイト１６が上部位置に上昇して行く際に、正面視Ｙ字形状の上部回動体２６に移動ウエイト載置枠体１４が当接して上部回動体２６を右方向に回動させる。
これにより、上部回動体２６の左方延長杆２６ｓが右回転を行い、これに伴い右方延長杆２６ｕも右回転し、この右方作動杆２６ｕの先端部に連結した作動杆２７を右方向に移動させる。
【００１８】
この作動杆２７は、その左端部が下方に折曲して、その下向き延長部２７ｓが移動ウエイト１６を右方向に移動させることができるのである。
他方、上記移動ウエイト載置枠体１４が下部位置に下降した際には、下部回動体２８に前者の底部が当接して、つまり、下部回動体２８の横方向基部２８ｙに当接して、その先端部側の折曲部２８ｓが移動ウエイト１６を動力伝達チェーン１３の側に（図中左方に）押圧し、移動させることができるのである。
【００１９】
上記下部回動体２８の先端部側の折曲部２８ｓが上記移動ウエイト１６を左方向に移動させる際は、この折曲部２８ｓは、図には明確には現れていないが、移動ウエイト載置枠体１４の略中央部に切欠が設けられており、この切欠に嵌入するように折曲部２８ｓが左回転して移動ウエイト１６を左方向に移動させることができるものである。
【００２０】
ここで、３０は、上記移動ウエイト載置枠体１４の下方方向への落下速度を和らげるための緩衝体である。
この緩衝体３０により、上記移動ウエイト載置枠体１４は、本体部の底面部に衝突することなく制動される。
同様に、この種の緩衝体は、固定ウエイト側の本体部の底面部にも設置することが望ましいが、移動ウエイト載置枠体１４の側に設けた上部回動体２６の作用により、これを設けずに実施することもできる。
【００２１】
以上の構成により、本考案に係る駆動装置は、以下の通りの動作を繰り返す。
まず、固定ウエイト１５が上部位置に位置し、移動ウエイト１６及び移動ウエイト載置枠体１４が下部位置に位置しているとき、このときに移動ウエイト１６は動力伝達チェーン１３側に位置しているが、固定ウエイト１５の重量が移動ウエイト１６と移動ウエイト載置枠体１４の重量よりも重いために、固定ウエイト１５が下方に移動し下降する。
【００２２】
固定ウエイト１５が下降すると、移動ウエイト１６及び移動ウエイト載置枠体１４が上昇する。
後者が上方に上昇して上部位置に至ると、移動ウエイト１６及び移動ウエイト載置枠体１４は、上部回動部２６の左方延長杆２６ｓを下から押し上げる。
【００２３】
左方延長杆２６ｓが上方に押し上げられ、右方向に回転すると、右方延長杆２６ｕも右回転して作動杆２７を右方向に移行させる。
作動杆２７が右方向に移行すると、その先端部の下向き延長部２７ｓも右方向に移行し、その結果移動ウエイト１６も右方向に移動する。
【００２４】
その結果、移動ウエイト１６の回転モーメントが大きくなり、移動ウエイト載置枠体１４は、左方の固定ウエイトの回転モーメントよりも大きくなって、下降することとなるのである。
【００２５】
今度は、上記移動ウエイト載置枠体１４が下部位置にまで下降すると、当該移動ウエイト載置枠体１４の底部が下部回動体２８に当接し、つまり、下部回動体２８の横方向基部２８ｙに当接し、下部回動体２８の先端側の折曲部２８ｓが移動ウエイト１６を図中左方に押圧して動力伝達チェーン１３の側に移行させるのである。
これにより、移動ウエイト１６の回転モーメントは小さくなり、今度は、固定ウエイト１５の重量が勝って、この固定ウエイト１５が下方に移動し、移動ウエイト１６と移動ウエイト載置枠体１４が上方に移動する。
【００２６】
以下、上記動作を繰り返して、固定ウエイト１５と移動ウエイト１６及び移動ウエイト載置枠体１４とが交互に上下して、動力伝達チェーン１３が往復動し、上下のスプロケット２１、２２が正逆回転を連続的に行うこととなる。
このスプロケット２１、２２の回転軸の何れか一方に発電機Ｅの回転軸を連結して発電機を起動し、発電することができるのである。
【００２７】
以上、本考案の一実施形態について説明したが、本考案においては実用新案登録請求の範囲に記載の範囲内で種々設計変更を行うことができ、上記の実施形態は、一つの例示である。
【００２８】
本体部の構成は、適宜鋼製型枠材を利用して構築することができ、要は、各構成部材を適宜位置に配置して固定できればよい。
上部回動体及び下部回動体に関しても、初期位置を確保するために、適宜所定方向に付勢するスプリング等の付勢手段を設けておく。
【００２９】
そして、移動ウエイトの上下移動に伴い、この移動ウエイト及び移動ウエイト載置枠体が当接し、且つ、離脱する際に、上記上部回動体及び下部回動体が初期位置に復帰するような構成を採用することが肝要である。
【００３０】
発電機は、上部回転軸の近傍又は下部回転軸の近傍に設けることができる。
発電機の回転軸に回転駆動力を伝達するベルト等を上記上部回転軸又は下部回転時に連結すればよいものである。
【００３１】
以上、本考案は、固定ウエイトと移動ウエイトを利用し、建築物の内部にも設置できるサイズの発電用駆動装置を提供することができたものである。
【符号の説明】
【００３２】
１１、１２  回転軸
１３  動力伝達チェーン
１４  移動ウエイト載置枠体
１５  固定ウエイト
１６  移動ウエイト
２１、２２  スプロケット
２６  上部回動体
２６ｓ  左方延長杆
２６ｕ  右方延長杆
２７  作動杆
２７ｓ  下向き延長部
２８  下部回動体
２８ｓ  折曲部
２８ｙ  横方向基部
３０  緩衝体
Ｅ  発電機
【図１】
0003210649.tif 000003